(57)【特許請求の範囲】
【請求項１】
両端面にリテーナ挿入孔を有し、ヒューズを収容するヒューズブロックと、
前記リテーナ挿入孔に挿入され、ヒューズブロック内に装填されたヒューズを装填状態にロックするためのリテーナと、
前記ヒューズブロックを収容する下カバーと上カバーと、を備えた自動車用電気接続箱において、
前記ヒューズブロックの前記リテーナが設けられている部分のみを前記上下カバーの両方で覆うように、前記上カバーと前記下カバーの間に前記ヒューズブロックをサンドイッチ状に収納し、
前記リテーナを覆った部分で、前記上下のカバー同士が嵌合することにより、ラビリンスを構成する防水手段を備えたこと、を特徴とする自動車用電気接続箱。
【請求項２】
前記上下カバーの会合縁に案内手段を構成するそれぞれの部分を形成し、該案内手段によって、前記ラビリンスを構成する一方の壁部に他方の壁部を案内することにより係止手段が位置決めされること、を特徴とする請求項１記載の自動車用電気接続箱。
【請求項３】
前記案内手段に上カバーと下カバーとの係止手段を配設したこと、を特徴とする請求項２記載の自動車用電気接続箱。
【発明の詳細な説明】
【０００１】
【発明の属する技術分野】
本発明は、主に自動車に搭載される自動車用電気接続箱に関する。
【０００２】
【従来の技術】
自動車に搭載される電気接続箱としては、図５に示したものがある。
この電気接続箱は、内部にヒューズを装填するヒューズ収容部等を有し、側壁１ａに電源供給用太物電線の端子を収容する端子挿入溝２等を有するヒューズブロック１と、該ヒューズブロック１を保護するために、該ヒューズブロック１を覆う上下カバー３，４等によって構成されている。
【０００３】
そして、ヒューズブロック１は、下カバー４に収容され、その状態で上カバー３が被せられ、上カバー３の係止部５が下カバー４の係止部６に係合されて、雨水等から保護される。
【０００４】
【発明が解決しようとする課題】
ところで、ヒューズブロック１には、内部に装填させたヒューズを装填状態でロックするために、リテーナ７が装填される。このリテーナ７は、ヒューズブロック１の端壁１ｂから挿入されるため、ヒューズブロック１の端壁１ｂには、リテーナ挿入孔８が形成されている。したがって、リテーナ７の位置は、上下カバー３，４の会合部に位置することになり、その会合部から雨水等が浸入する恐れがある。
【０００５】
そこで本発明の目的は、上記従来の問題を解決することにあり、リテーナ挿入孔から雨水等がヒューズブロック内に浸入するのを防止した電気接続箱を提供することにある。
【０００６】
【課題を解決するための手段】
本発明の上記目的は、下記構成により達成される。
(１)  両端面にリテーナ挿入孔を有し、ヒューズを収容するヒューズブロックと、前記リテーナ挿入孔に挿入され、ヒューズブロック内に装填されたヒューズを装填状態にロックするためのリテーナと、前記ヒューズブロックを収容する下カバーと上カバーと、を備えた自動車用電気接続箱において、前記ヒューズブロックの前記リテーナが設けられている部分のみを前記上下カバーの両方で覆うように、前記上カバーと前記下カバーの間に前記ヒューズブロックをサンドイッチ状に収納し、前記リテーナを覆った部分で、前記上下のカバー同士が嵌合することにより、ラビリンスを構成する防水手段を備えたこと、を特徴とする自動車用電気接続箱。
【０００７】
(２)  前記上下カバーの会合縁に案内手段を構成するそれぞれの部分を形成し、該案内手段によって、前記ラビリンスを構成する一方の壁部に他方の壁部を案内することにより係止手段が位置決めされること、を特徴とする前記(１)記載の自動車用電気接続箱。
【０００８】
(３)  前記案内手段に上カバーと下カバーとの係止手段を配設したこと、を特徴とする前記(２)記載の自動車用電気接続箱。
【０００９】
前記(１)の自動車用電気接続箱によれば、ヒューズブロックのリテーナ挿入孔が２重の壁によって覆われる。すなわち、上下カバーの壁部によってリテーナ挿入孔の周辺にラビリンスが構成される。したがって、外部から雨水等がカバー内に浸入することが有効に防止される。
【００１０】
前記(２)記載の自動車用電気接続箱によれば、案内手段によって上カバーに形成したラビリンスを構成する一方の壁部が、下カバーに形成したラビリンスを構成する他方の壁部に案内され、更にこの案内により、係止手段が適正な係止位置に位置決めされる。したがって、ラビリンスを構成する一方の壁部と他方の壁部が衝突することなく、スムーズに会合することができ、更にその後の係止手段の係止動作が容易かつ正確に行われる。
【００１１】
前記(３)記載の自動車用電気接続箱によれば、上カバーを案内手段によって下カバーに会合させると、ラビリンスを構成する一方の壁部と他方の壁部が衝突することなく、スムーズに会合され、更に係止手段の係止位置精度が極めて高くなり、上カバーと下カバーがそのまま互いに係止される。したがって、上カバーと下カバーの組み付け作業が極めて容易になる。
【００１２】
【発明の実施の形態】
以下、本発明に係る電気接続箱の一実施形態を図１〜図４に基づいて説明する。
図１は電気接続箱の一方側から観た分解図であり、図２は電気接続箱の他方側から見た分解図である。また、図３（ａ），（ｂ）は図１における防水手段の部分断面斜視図で、図３（ｂ）は、図３（ａ）における矢印方向から見た図である。また、図４（ａ），（ｂ）は図２における防水手段、案内手段及び係止手段の部分断面斜視図であり、図４（ｂ）は図４（ａ）における矢印方向から見た図である。
【００１３】
この電気接続箱は、ヒューズを収容するヒューズブロック１０と、該ヒューズブロック１０を収容する下カバー３０と上カバー５０とを備えている。
【００１４】
ヒューズブロック１０は、その両端面１０ａ，１０ｂにリテーナ挿入孔１１，１２を有している。該リテーナ挿入孔１１，１２には、ヒューズブロック１０内に装填されたヒューズを装填状態にロックするためのリテーナ１３，１４がそれぞれ挿入される。
【００１５】
このリテーナ１３，１４は、一端にリテーナ挿入孔１１，１２を塞ぐ蓋１５，１６を備え、該蓋１５，１６の裏面から垂直方向へ延設された２つの支持片１７，１８、１９，２０を有し、蓋１５，１６の表面に２つのリブ２１，２２，２３，２４を有している。
【００１６】
更に、ヒューズブロック１０の一方の側面１０ｃの下部には、４箇所に爪２５が形成され、他方の側面の下部には、３箇所に図示しない爪が形成されている。また、一方の側面１０ｃには、電源供給用太物電線の端子を収容する端子挿入溝２６が形成されている。
【００１７】
下カバー３０の一方の端壁３０ａには、上記ヒューズブロック１０のリテーナ挿入孔１１を覆う防水手段Ａの一方が形成されている。この防水手段Ａの一方は、端壁３０ａに水平断面がコ字状を成す壁部３１を立設させたものである。
【００１８】
また、その端壁３０ａには、壁部３１に並んで、案内手段Ｂの一方と係止手段Ｃの一方が形成されている。案内手段Ｂの一方は、水平断面がコ字状を成す壁部３２と平板状の壁部３３とを平行に端壁３０ａ上に立設させたもので、それらの壁部３２，３３の下部は互いに連設されて有底角筒を成している。そして、壁部３２の中央壁３２ａの上端部内面に係止手段Ｃの一方を構成する爪３４が形成されている。
【００１９】
また、下カバー３０の他方の端壁３０ｂには、上記ヒューズブロック１０のリテーナ挿入孔１２を覆う防水手段Ｄの一方と、案内手段Ｅの一方と、係止手段Ｆの一方が一箇所にまとめて形成されている。防水手段Ｄの一方は、端壁３０ｂに水平断面がコ字状を成す壁部３５を立設させたものであり、案内手段Ｅの一方は、水平断面がコ字状を成す壁部３６を壁部３５平行に端壁３０ｂ上に立設させたもので、それらの壁部３５，３６の下部は互いに連設されて有底角筒を成している。そして、壁部３６の中央壁３６ａの上端部内面には係止手段Ｆの一方を構成する爪３７が形成されている。
【００２０】
更に、下カバー３０は、一方の側壁３０ｃの上縁に矩形状の孔３８を有する４つの係止舌片３９を備え、他方の側壁３０ｄの上縁に矩形状の孔４０を有する４つの係止舌片４１を備えている。また、一方の側壁３０ｃの上縁には上記ヒューズブロック１０の端子挿入溝２６に蓋をするための舌片４２が形成されている。
【００２１】
また、上カバー５０の一方の端壁５０ａには、上記ヒューズブロック１０のリテーナ挿入孔１１を覆う防水手段Ａの他方が形成されている。この防水手段Ａの他方は、下方に開口する箱状部５１によって形成されている。
【００２２】
また、その端壁５０ａには、箱状部５１に並んで、案内手段Ｂの他方と係止手段Ｃの他方が形成されている。案内手段Ｂの他方は、端壁５０ａから立設された側板５２，５２と、それらの側板５２，５２を連結する側板５３と、側板５２，５２の下部間に差し渡された隔壁５４とによって構成されている。隔壁５４は側板５２，５２の下部の一部を塞ぐようにそれらの側板５２，５２に対して垂直に配設された底板部５４ａと、該底板部５４ａから下方へ延設される側板部（図示せず）とによってＬ字状に形成されている。そして、側板５３には、該側板５３と側板５２，５２との会合部に上端から切込み５５，５５が入れられており、該切込み５５，５５によって画成される側板５３の上部には孔５６が形成されている。
【００２３】
また、上カバー５０の他方の端壁５０ｂには、上記ヒューズブロック１０のリテーナ挿入孔１２を覆う防水手段Ｄの他方と、案内手段Ｅの他方と、係止手段Ｆの他方が一箇所にまとめて形成されている。
【００２４】
案内手段Ｅの他方は、端壁５０ｂから立設された側板５７，５７と、それらの側板５７，５７を連結する側板５８と、側板５７，５７の下部間に差し渡された隔壁５９とによって構成されている。隔壁５９は側板５７，５７の下部の一部を塞ぐようにそれらの側板５７，５７に対して垂直に配設された底板部５９ａと、該底板部５９ａから下方へ延設される側板部５９ｂとによってＬ字状に形成されている。そして、側板５８には、該側板５８と側板５７，５７との会合部に上端から切込み６０，６０（図４（ｂ）参照）が入れられており、該切込み６０，６０によって画成される側板５８の上部には孔６１が形成されている。
【００２５】
このように構成された、ヒューズブロック１０，下カバー３０，上カバー５０は、以下のようにして互いに組み付けられる。
【００２６】
ヒューズブロック１０には、それぞれのリテーナ挿入孔１１，１２にリテーナ１３，１４が装填される。そして、このヒューズブロック１０は、その爪２５等を下カバー３０の係止舌片３９，４１を撓めながら押し込んで孔３８，４０に係合させて下カバー３０に組み付けられる。
【００２７】
次いで、ヒューズブロック１０を覆うようにして上カバー５０を被せ、該上カバー５０の案内手段Ｂ，Ｅの他方を下カバー３０の案内手段Ｂ，Ｅの一方に合致させ、上カバー５０を下カバー３０に向けて押下させる。
【００２８】
すると、案内手段Ｂでは、案内手段Ｂの他方、すなわち上カバー５０の側板５２，５２，５３が案内手段Ｂの一方、すなわち下カバー３０の壁部３２の側壁３２ｂ，３２ｂ，中央壁３２ａをガイドとし、また上カバー５０の隔壁５４の図示しない側壁が下カバー３０の壁部３３をガイドとして、上カバー５０を下カバー３０に対して案内する。
【００２９】
また、案内手段Ｅでは、上記案内手段Ｂと同様に、図４に示したように、案内手段Ｂの他方、すなわち上カバー５０の側板５７，５７，５８が案内手段Ｅの一方、すなわち下カバー３０の壁部３６の側壁３６ｂ，３６ｂ，中央壁３６ａをガイドとし、また上カバー５０の隔壁５９の側板部５９ｂが下カバー３０の壁部３５をガイドとして、上カバー５０を下カバー３０に対して案内する。このとき、係止手段Ｆを構成する下カバー３０の爪３７と、上カバー５０の側板５８の孔６１とが正確に位置決めされる。すなわち、上カバー５０の隔壁５９が下カバー３０の壁部３５に案内されることにより、下カバー３０の爪３７と上カバー５０の側板５８の孔６１とが、適正な係止位置に位置し、係止動作を容易かつ確実に行うことができる。
【００３０】
また、防水手段Ａは、図３に示したように、ヒューズブロック１０のリテーナ１３に対向する部位に位置し、上カバー５０の箱状部５１が水平断面がコ字状を成す壁部３１の上部を覆い、箱状部５１の天井壁５１ａで壁部３１の上方開口を塞ぎ、水平断面がコ字状を成す側壁５１ｂで下カバー３０の水平断面がコ字状を成す壁部３１を囲い、そこにラビリンスを構成する。なお、ラビリンスを構成する壁部３１と箱状部５１との間隔は、ほぼ０ｍｍであれば好ましいが、０．５〜１．０ｍｍ程度であってもよい。
【００３１】
また、防水手段Ｄは、図４に示したように、ヒューズブロック１０のリテーナ１４に対向する部位に位置し、上カバー５０の隔壁５９が下カバー３０の水平断面がコ字状を成す壁部３５の上部を覆い、隔壁５９の底板部５９ａで下カバー３０の壁部３５の上方開口を塞ぎ、上カバー５０の水平断面がコ字状を成す隔壁５９の側板部５９ｂで下カバー３０の水平断面がコ字状を成す壁部３５を囲い、そこにラビリンスを構成する。なお、ラビリンスを構成する壁部３５と隔壁５９との間隔は、ほぼ０ｍｍであれば好ましいが、０．５〜１．０ｍｍ程度であってもよい。
【００３２】
このようにして、上カバー５０が下カバー３０に組み付けられると、係止手段Ｃの他方を構成する上カバー５０の側板５３の孔５６が係止手段Ｃの一方を構成する下カバー３０の爪３４に係合し、また係止手段Ｆの他方を構成する上カバー５０の側板５８の孔６１が係止手段Ｆの一方を構成する下カバー３０の爪３７に係合して、上カバー５０が下カバー３０に係止される。
【００３３】
なお、上記実施形態で示した防水手段Ａ，Ｄ、案内手段Ｂ，Ｅ、係止手段Ｃ，Ｆは、本発明の一例に過ぎず、各種の構造のものを採用することができる。
【００３４】
【発明の効果】
上記したように、本発明に係る請求項１の自動車用電気接続箱は、両端面にリテーナ挿入孔を有し、ヒューズを収容するヒューズブロックと、前記リテーナ挿入孔に挿入され、ヒューズブロック内に装填されたヒューズを装填状態にロックするためのリテーナと、前記ヒューズブロックを収容する下カバーと上カバーと、を備えた自動車用電気接続箱において、前記ヒューズブロックの前記リテーナが設けられている部分のみを前記上下カバーの両方で覆うように、前記上カバーと前記下カバーの間に前記ヒューズブロックをサンドイッチ状に収納し、前記リテーナを覆った部分で、前記上下のカバー同士が嵌合することにより、ラビリンスを構成する防水手段を備えたので、ヒューズブロックのリテーナ挿入孔が２重の壁によって覆われる。すなわち、上下カバーの壁によってリテーナ挿入孔の周辺にラビリンスが構成される。したがって、外部から雨水等がカバー内に浸入するが有効に防止される。
【００３５】
また、本発明に係る請求項２の自動車用電気接続箱では、案内手段によって上カバーに形成したラビリンスを構成する一方の壁が、下カバーに形成したラビリンスを構成する他方の壁に案内され、係止部材が適正に位置決めされる。したがって、ラビリンスを構成する一方の壁と他方の壁が衝突することなく、スムーズに会合することができ、更に係止動作が容易かつ正確に行われる。
【００３６】
また、本発明に係る請求項３の自動車用電気接続箱では、上カバーを案内手段によって下カバーに会合させると、ラビリンスを構成する一方の壁と他方の壁が衝突することなく、スムーズに会合され、かつ上カバーと下カバーがそのまま互いに係止される。したがって、上カバーと下カバーの組み付け作業が極めて容易になる。
【図面の簡単な説明】
【図１】本発明に係る電気接続箱の一実施形態を示した分解斜視図である。
【図２】図１に示した電気接続箱を他の方向から示した分解斜視図である。
【図３】図１に示した電気接続箱の要部を示した断面斜視図である。
【図４】図１に示した電気接続箱の要部を示した断面斜視図である。
【図５】従来の電気接続箱を示した分解斜視図である。
【符号の説明】
１０          ヒューズブロック
１１，１２        リテーナ挿入孔
１３，１４        リテーナ
１５，１６        蓋
２５          爪
３０          下カバー
３０ａ        一方の端壁
３０ｂ        他方の端壁
３０ｃ        一方の側壁
３０ｄ        他方の側壁
３１          壁部
３２          壁部
３２ａ        中央壁
３２ｂ        側壁
３３          壁部
３４          爪
３５          壁部
３６          壁部
３６ａ        中央壁
３６ｂ        側壁
３７          爪
５０          上カバー
５０ａ        一方の端壁
５０ｂ        他方の端壁
５１          箱状部
５１ａ        天井壁
５１ｂ        側壁
５２          側板
５３          側板
５４          隔壁
５４ａ        底板部
５５          切込み
５６          孔
５７          側板
５８          側板
５９          隔壁
５９ａ        底板部
５９ｂ        側板部
６０          切込み
６１          孔
Ａ            防水手段
Ｂ            案内手段
Ｃ            係止手段
Ｄ            防水手段
Ｅ            案内手段
Ｆ            係止手段
【図１】
0003924399.tif 000002
【図２】
0003924399.tif 000003
【図３】
0003924399.tif 000004
【図４】
0003924399.tif 000005
【図５】
0003924399.tif 000006